(57)【要約】【課題】  圧力測定を妨げる侵入物を容易に除去可能な圧力測定機能付き電子機器を提供する。【解決手段】  圧力センサ６を内蔵する装置本体２を備えるダイブコンピュータ１において、圧力センサ６の測定部６Ａを間隙αを形成した状態でカバーするセンサカバー１０を備え、このセンサカバー１０を上記間隙α側に押し込み操作可能にした。【選択図】      図１
2006258558.tif 000002
【特許請求の範囲】
【請求項１】
圧力センサを内蔵するセンサ内蔵体を備え、この圧力センサにより圧力を測定可能な圧力測定機能付き電子機器において、
前記センサ内蔵体が、前記圧力センサの測定部との間に外部空間と連通する間隙を形成した状態で、当該測定部をカバーするセンサカバーを備え、このセンサカバーを前記間隙側に押し込み操作可能に構成したことを特徴とする電子機器。
【請求項２】
前記センサカバーを弾性部材で形成し、前記センサカバーを前記間隙側に弾性変形可能に構成したことを特徴とする請求項１に記載の電子機器。
【請求項３】
前記センサカバーが、前記圧力センサの測定部に対向する位置に押し込み操作部を有することを特徴とする請求項１又は２に記載の電子機器。
【請求項４】
前記センサカバーが、前記センサ内蔵体をカバーする装置カバーと一体的に形成されていることを特徴とする請求項１乃至３のいずれかに記載の電子機器。
【請求項５】
前記センサ内蔵体が、前記圧力センサの出力結果を示す情報の変化量に基づいて前記情報の正否を判定する正否判定手段を備えることを特徴とする請求項１乃至４のいずれかに記載の電子機器。
【請求項６】
前記正否判定手段は、正と判定した情報を表示対象或いは記憶対象とすることを特徴とする請求項５に記載の電子機器。
【請求項７】
前記情報は、前記圧力センサの出力結果から求めた水深値であることを特徴とする請求項５又は６に記載の電子機器。
【請求項８】
前記電子機器は、時刻を計時する計時部を有する時計として構成されていることを特徴とする請求項１乃至７のいずれかに記載の電子機器。
【発明の詳細な説明】
【技術分野】
【０００１】
本発明は、圧力センサを内蔵するセンサ内蔵体を備え、この圧力センサにより圧力を測定可能な圧力測定機能付き電子機器に関する。
【背景技術】
【０００２】
従来より、圧力センサにより水圧を測定し、この水圧から求めた水深値を表示し、また、水深値等をログデータとして記憶するダイブコンピュータが知られている。この種の電子機器には、圧力センサを時計ケース内の裏蓋内側に配置し、裏蓋に開口させた開口孔を介して水を圧力センサの測定部に導くようにしたものが提案されている（例えば、特許文献１、２参照）。
【特許文献１】特開平７−２８０９６０号公報
【特許文献２】特開２００３−２８３１６６号公報
【発明の開示】
【発明が解決しようとする課題】
【０００３】
しかし、従来の構成では、例えば、海水中で使用した場合、海水中に浮遊する藻等が、通水穴に侵入し、水圧を正確に測定できなくなってしまう場合があった。この場合、実際の水深と異なる水深値が算出され、この水深値がメモリに記憶されたり、表示されてしまうといった問題が生じる。また、圧力センサの測定部が汚れたままで放置すると、汚れによる腐食が生じるおそれがあった。
本発明は、上述した事情に鑑みてなされたものであり、圧力測定を妨げる侵入物を容易に除去可能な圧力測定機能付き電子機器を提供することを目的としている。
【課題を解決するための手段】
【０００４】
上記課題を解決するため、本発明は、圧力センサを内蔵するセンサ内蔵体を備え、この圧力センサにより圧力を測定可能な圧力測定機能付き電子機器において、前記センサ内蔵体が、前記圧力センサの測定部との間に外部空間と連通する間隙を形成した状態で、当該測定部をカバーするセンサカバーを備え、このセンサカバーを前記間隙側に押し込み操作可能に構成したことを特徴とする。
この構成によれば、センサカバーを、圧力センサの測定部との間の間隙側に押し込み操作可能に構成したので、押し込み操作により、その間隙内に侵入した侵入物を、間隙内に満たされた水や空気と共に外に排出することができる。
【０００５】
上記構成において、前記センサカバーを弾性部材で形成し、前記センサカバーを前記間隙側に弾性変形可能に構成してもよく、また、前記センサカバーが、前記圧力センサの測定部に対向する位置に押し込み操作部を有するようにしてもよい。また、センサカバーを、前記センサ内蔵体をカバーする装置カバーと一体的に形成してもよい。
【０００６】
また、上記構成において、前記センサ内蔵体が、前記圧力センサの出力結果を示す情報の変化量に基づいて前記情報の正否を判定する正否判定手段を備えるようにしてもよい。この構成によれば、センサカバーの押し込み操作中に計測された計測データか否かを判定することができる。この場合、正否判定手段が、正と判定した情報を表示対象或いは記憶対象とすることによって、センサカバーの押し込み操作中に計測された計測データを表示対象や記憶対象から除外することができる。
また、前記情報を、前記圧力センサの出力結果から求めた水深値としてもよく、また、前記電子機器を、時刻を計時する計時部を有する時計として構成してもよい。
【発明の効果】
【０００７】
本発明は、センサカバーを、圧力センサの測定部との間の間隙側に押し込み操作可能に構成したので、押し込み操作により、その間隙内に侵入した侵入物を、間隙内に満たされた水や空気と共に外に排出することができる。
【発明を実施するための最良の形態】
【０００８】
以下、図面を参照して本発明の実施形態について説明する。
図１は、本実施形態に係る電子機器の一態様としてのダイブコンピュータ１を示す図である。ダイブコンピュータ１は、腕時計型に構成され、装置本体（センサ内蔵体）２と、ダイブコンピュータ１をユーザ（ダイバー）の腕に装着するためバンド３とを備えている。装置本体２は、ケース２Ａと、このケース２Ａ内に水密構造で配置される表示装置１５等の電気部品とから概略構成され、前面に透明カバー２Ｂが設けられ、この透明カバー２Ｂを介して表示装置１５の表示情報が視認可能に構成されている。
また、装置本体２には、複数の操作子５が設けられると共に、ケース２Ａの３時位置に相当する側部内側には、圧力センサ６が水密構造で配置され、この圧力センサ６は、その測定部６Ａを、ケース２Ａを貫通する複数の圧力導入孔２Ｃに向けて配置され、この圧力導入孔２Ｃを介してダイブコンピュータ１の周囲の水又は空気が導入され、これによって、水圧又は気圧が測定される。
【０００９】
図２はダイブコンピュータ１の電気的構成を示すブロック図である。ダイブコンピュータ１は、表示装置１５と、計時部２０と、圧力計測部３０と、複数の操作子５の操作を検出する操作部４０と、制御部（正否判定手段）５０と、報音装置６０と、振動発生装置７０と、外部端子８０と、メモリ９０とから概略構成されている。表示装置１５は、液晶パネル１６と、液晶ドライバ１７とから構成され、制御部５０の制御の下、液晶ドライバ１７により液晶パネル１６を駆動し、後述する各種情報を表示する。
【００１０】
計時部２０は、発振回路２１と、発振回路２１からのクロック信号を分周する分周回路２２と、制御部５０の制御の下、分周回路２２からの分周クロック信号をカウントして時刻や潜水時間を計時する時計用カウンタ２３とから構成され、これらにより時刻や潜水時間を計時する。圧力計測部３０は、圧力センサ６と、圧力センサ６の出力信号を増幅する増幅回路３２と、増幅回路３２の出力信号をアナログ／ディジタル変換するＡ／Ｄ変換回路３３とから構成され、制御部５０の制御の下、ダイブコンピュータ１の周囲の圧力（水圧、気圧）を計測する。
【００１１】
制御部５０は、このダイブコンピュータ１全体を制御するものであり、ＣＰＵや集積回路からなる演算処理部５１と、ＣＰＵの制御下で液晶ドライバ１７や時計用カウンタ２３の動作を制御する表示／計時制御回路５２と、ＣＰＵが読み出して実行する制御プログラムや各種データを格納したＲＯＭ５３と、各種データを一時的に格納するＲＡＭ５４等から構成される。そして、制御部５０は、ＣＰＵがＲＯＭ５３に格納された各種プログラムを実行することにより、各種演算処理や表示制御処理等を行う。
具体的には、制御部５０は、演算処理として、圧力計測部３０が計測した水圧又は気圧から水深値又は高度を算出する処理、及び、上記水圧と圧力計測部３０が計測した潜水時間から、ユーザ（ダイバー）の体内に蓄積される不活性ガス量（例えば窒素量）を算出する処理等を行い、表示制御処理として、上記演算処理により求めた各計測データの表示、及び、計時部２０が計測する時刻を選択的に表示する制御を行う。
【００１２】
報音装置６０は、制御部５０の制御の下、アラーム音を報音する装置であり、振動発生装置７０は、制御部５０の制御の下、ダイブコンピュータ１を振動させる装置である。これら報音装置６０及び振動発生装置７０は、ユーザ（ダイバー）に警告等を報知する報知手段として機能している。
また、このダイブコンピュータ１は、外部に露出する２つの外部端子８０を備え、制御部５０が、この外部端子８０間の導通を検知することによって、当該ダイブコンピュータ１が水中（海水中を含む）にあるか否かを検知する。そして、制御部５０は、水を検知すると、潜水中の動作モード（以下、ダイブモードという）に自動的に移行し、このダイブモードにおいては、潜水時間、水深値、ダイバーの体内に蓄積される不活性ガス量の計測及びこれら計測データの表示を行う共に、これら計測データを、ログデータ又はプロファイルデータとしてメモリ９０に記憶するように構成されている。
なお、メモリ９０は、半導体メモリであり、このメモリ９０に記憶されたログデータやプロファイルデータは、上記外部端子８０を介して外部機器（パーソナルコンピュータ等）にデータ通信が可能となっている。
【００１３】
図３は、ダイブコンピュータ１の表示例を示す図である。この図に示すように、表示装置１５の表示領域は、大まかに第１の表示領域１１１〜第６の表示領域１１６に分けられている。このうち、左上段の表示領域１１１には、現在月日、動作モードを示す情報、現在水深、水深ランク、潜水月日（或いはログ番号）、予定水深等が表示され、右上段の表示領域１１２には、現在時刻、潜水時間、無減圧潜水可能時間、潜水開始時刻、潜水時間等が表示される。なお、これら表示情報の切り替えは、操作子５の操作によって可能である。
また、左中段の表示領域１１３には、最大水深、体内窒素排出時間、セーフティレベル、最大水深、平均水深等が表示され、右中段の表示領域１１４には、無減圧潜水可能時間、水面休止時間、潜水終了時刻等が表示される。
【００１４】
さらに、左下段の表示領域１１５には、内蔵電池（図示せず）の残量、ユーザ（ダイバー）の位置する地点の高度、ユーザ（ダイバー）の体内に蓄積される不活性ガス量（例えば窒素量）等が表示され、右下段の表示領域１１６には、水深値等の計測データを記録中であることを示す情報（「MEMO」）等が表示される。
なお、この図では省略しているが、これら情報以外にも、減圧潜水状態になった場合に不活性ガスが吸収傾向にあるのか、排出傾向にあるのかを示す情報や、浮上速度が高すぎる場合に表示する警告を示す情報（例えば「SLOW」）や、潜水中に減圧潜水を行わなければならない旨の警告を示す情報（例えば「DECO」）等が適宜表示される。
【００１５】
さて、本構成では、装置本体２には、図４及び図５に示すように、当該装置本体２を覆うように装置カバー７が被せられる。この装置カバー７は、ウレタン、シリコンゴム等の弾性材料で形成され、当該装置本体２のバンド連結部２Ｄを覆って透明カバー２Ｂ側に延出する前面カバー７Ａと、当該装置本体２の側面を覆う側面カバー７Ｂとを一体的に備えている。
この側面カバー７Ｂには、操作子５に対応する位置に開口孔７Ｃが各々設けられ、これら開口孔７Ｃを介して当該カバー７Ｂから操作子５を露出させると共に、装置本体２の側面に設けられたねじ穴２Ｅと連通する段付き孔７Ｄが設けられ、ねじ（図示せず）を、この段付き孔７Ｄに挿通してねじ穴２Ｅに各々締結することにより、装置カバー７が装置本体２に取り付けられる。なお、装置カバー７を弾性変形させて装置本体２に嵌め込み、これによって、装置カバー７を装置本体２に取り付けるように構成してもよい。
【００１６】
また、ケース２Ａは、金属や樹脂等から形成され、略円柱状に突出する突出部２Ｆを一体的に備え、この突出部２Ｆの上面２Ｇの領域内には、当該ケース２Ａを貫通する圧力導入孔２Ｃの一端が開口している。
装置カバー７には、図１に示すように、この突起２Ｆに対応する位置に、当該突起２Ｆの突出量よりも大きく窪んだ凹部７Ｅを形成するように薄肉に形成された薄肉部１０が形成され、この薄肉部１０は、圧力センサ６の測定部６Ａに連通する圧力導入孔６Ａを、間隙αを形成した状態でカバーするセンサカバーとして機能している。以下、薄肉部１０をセンサカバーと表記する。
【００１７】
ここで、上記間隙αは、図３に示すように、ケース２Ａと装置カバー７との間の間隙α１を介して外の空間と連通しており、これによって、これら間隙α１、α及び圧力導入孔６Ａを介して、ダイブコンピュータ１の周囲の水（海水）や空気が圧力センサ６の測定部６Ａに導かれる。このため、装置本体２に装置カバー７を被せた状態でも、圧力センサ６によってダイブコンピュータ１の周囲の圧力（水圧、気圧）の測定が可能となっている。
また、ケース２Ａの突起２Ｆと、装置カバー７の凹部７Ｅとは、当該装置カバー７をケース２Ａに被せた際に、図１に示すように係合し、これによって、ケース２Ａに対する装置カバー７の位置が図１に示す位置に位置決めされる。すなわち、上記突起２Ｆ及び凹部７Ｅは、装置カバー７の位置決め部材としても機能している。
【００１８】
図６（Ａ）（Ｂ）はセンサカバー１０を周辺構成と共に示す断面図である。本構成では、図６（Ａ）に示すように、センサカバー１０が、圧力センサ６の測定部６Ａと対向する位置に略円形状の押し込み操作部１０Ａを備え、この押し込み操作部１０Ａの周囲が、当該操作部１０Ａに比して薄肉に形成され、これによって、図６（Ｂ）に示すように、押し込み操作部１０Ａが押下された際に、この操作部１０Ａ周囲の薄肉部分である変形部１０Ｂが弾性変形し、当該押し込み操作部１０Ａが間隙α側に移動可能となっている。
より具体的には、上記変形部１０Ｂは、押し込み操作部１０Ａの押し込み方向（間隙α側）に向けて屈曲する形状に形成され、これによって、ユーザの指による押下力程度の軽い力で、この屈曲部が開くように弾性変形し、押し込み操作部１０Ａの押し込み量（操作ストローク）が比較的大となるように構成されている。なお、図６（Ａ）（Ｂ）において、符号８は飾り縁であり、符号９は裏蓋である。
【００１９】
上記構成により、例えば、ダイブコンピュータ１を水中（海水中）で使用中に、藻等が、装置カバー７と装置本体２との間の間隙α１、間隙α又は圧力導入孔２Ｃに侵入して、かかる間隙を塞いでいる場合、ユーザが押し込み操作部１０Ａを押し込み操作することによって、間隙α１、α及び圧力導入孔２Ｃ内に満たされた水を、藻等の侵入物と一緒に外に排出させることができる。特に、この押し込み操作部１０Ａは、押し込み操作すると、その弾性力により自動的に押し込み操作前の状態に戻るので、水中であっても容易に押し込み操作（クリーニング）を繰り返すことができる。
また、空気中で押し込み操作部１０Ａを押し込み操作した場合には、間隙α、α１及び圧力導入孔２Ｃの空気を外に排出させることができ、これによって、ダイブコンピュータ１を地上で使用中でも、かかる間隙や孔に侵入した侵入物を外に排出させることができる。
【００２０】
ところで、このダイブコンピュータ１は、水を検知するとダイブモードに移行し、圧力センサ６の出力結果に基づいて水深等を繰り返し計測するため、このモード中に上記クリーニング操作（押し込み操作部１０Ａの押し込み操作）が実施されると、圧力センサ６が実際の水圧と異なる圧力を測定しまうおそれがある。
そこで、本構成では、ダイブモード中は、圧力センサ６の出力結果から求めた水深値の変化量を求め、この変化量に基づいて求めた水深値の正否を判定する正否判定処理を行うように構成されている。
【００２１】
図７は、ダイブコンピュータ１のダイビング時の動作を示すフローチャートである。このダイブコンピュータ１において、まず、制御部５０は、外部端子８０間の導通を検知することによって水を検知したか否か、言い換えれば、ダイビング中か否かを判定する（ステップＳ１）。
ここで、制御部５０は、水が検知されない場合（ステップＳ１：NO）、水が検知されるまで上記ステップＳ１の処理を所定周期で繰り返す一方、水が検知された場合（ステップＳ１：YES）、ダイブモードに移行し、潜水時間、水深値、ダイバーの体内に蓄積される不活性ガス量の計測処理を開始する（ステップＳ２）。
次に、制御部５０は、圧力センサ６の出力結果から水深値Ｄｋ（ｋは整数、ここではｋ＝１）を算出すると（ステップＳ３）、この水深値ＤｋをＲＡＭ５４の所定領域に格納すると共に、この水深値Ｄｋと前回の水深値Ｄ（ｋ−１）との差（絶対値）が予め定めた設定値Ｘ以上か否かを判定する正否判定処理を行う（ステップＳ４）。但し、ダイブモードに移行して最初の水深値Ｄ１の測定時は、この水深値Ｄ１より過去に取得した水深値が存在しないため、このステップＳ４の処理はキャンセルされ、制御部５０は、ステップＳ５の処理に移行する。なお、設定値Ｘの値については後述する。
【００２２】
ステップＳ５において、制御部５０は、直前のステップＳ３の処理で取得した水深値Ｄｋ（ｋ＝１）を、表示及び記憶対象の値として選択する。そして、制御部５０は、選択した水深値と潜水時間とに基づいてダイバーの体内に蓄積される不活性ガス量を算出し、これらの計測データを表示装置１５に表示させると共に、これらの計測データをメモリ９０に記憶させる（ステップＳ６）。
次いで、制御部５０は、水検知中か否かを判定し（ステップＳ８）、水検知中であれば（ステップＳ８：YES）、ステップＳ３の処理に移行する。なお、本実施形態では、水深値の計測周期を一定周期（本実施形態では１秒周期）としており、制御部５０は、前回の水深値の取得タイミングからその周期の時間の経過を待って、圧力センサ６の出力結果から水深値Ｄｋ（ｋ＝２）を新たに算出するようになっている。
【００２３】
水深値Ｄｋ（ｋ＝２）を算出すると、制御部５０は、ステップＳ４の処理に移行し、水深値Ｄｋ（ｋ＝２）とＲＡＭ５４に格納された前回の水深値Ｄ１との差（絶対値）が設定値Ｘ以上か否かを判定する（ステップＳ４）。ここで、設定値Ｘは、水深値の測定周期（１秒）内にダイバーが潜水或いは浮上可能な最大距離或いはそれ以上の距離が設定され、本構成では、例えば３ｍが設定される。
このステップＳ４の判定で、水深値Ｄｋと前回の水深値Ｄ（ｋ−１）との差が設定値Ｘ以下であれば、制御部５０は、新たに取得した水深値Ｄｋ（ｋ＝２）を、表示及び記憶対象の値として選択する（ステップＳ６）。
一方、ステップＳ４の判定で、水深値Ｄｋと前回の水深値Ｄ（ｋ−１）との差（絶対値）が設定値Ｘより大きい場合、この水深値Ｄｋは、潜水或いは浮上可能な最大距離を超えた値、つまり、実際の水深値とは異なる値と推定できるため、制御部５０は、前回の水深値Ｄ（ｋ−１）を、表示及び記憶対象の値として選択する（ステップＳ７）。なお、この場合、実際の水深値と異なる水深値Ｄｋは、ＲＡＭ５４から削除され、これによって、この水深値Ｄｋが上記ステップＳ４の判定に使用されることはない。
【００２４】
このようにして、制御部５０は、今回取得した水深値Ｄｋと、前回の水深値Ｄ（ｋ−１）のいずれか一方を、表示及び記憶対象の水深値として選択し、この選択した水深値と水深値取得時の潜水時間とに基づいてダイバーの体内に蓄積される不活性ガス量を算出し、これら計測データの表示（表示の更新）及びメモリ９０への記憶を行うようになっている（ステップＳ６）。
続いて、制御部５０は、ダイビングが継続しているか判断すべく、水検知中か否かを判定し（ステップＳ８）、水検知中であれば（ステップＳ８：YES）、ステップＳ３の処理に移行し、これによって、水検知中の間（ダイビング中）は、上記ステップＳ３〜Ｓ８の処理を繰り返し、現在状況を示す各種情報の表示及び計測データの記憶を継続する。一方、制御部５０は、水が検知されなくなると（ステップＳ８：NO）、ダイビングが終了したと判断し、上記処理を中止し、ダイビングモードを終了する。以上がダイブコンピュータ１のダイビング時の動作である。
【００２５】
以上説明したように、本構成では、圧力センサ６の測定部６Ａを間隙αを形成した状態でカバーするセンサカバーが、当該間隙α側に押し込み操作可能な押し込み操作部１０Ａを備えるので、ユーザがこの押し込み操作部１０Ａを押し込み操作するという容易な操作で、当該間隙αや圧力導入孔２Ｃ内に存在する侵入物を容易に除去できる。また、きれいな水の中で、押し込み操作部１０Ａを押し込み操作することによって、手が入らない場所にある、圧力センサ６の測定部６Ａ等の汚れを容易に除去することが可能となる。また、このセンサカバーが、装置カバー７に一体的に形成されるため、部品点数が少なくてすみ、また、このカバーの取り付けや取り外しが容易である。
【００２６】
しかも、本構成では、圧力センサ６の出力結果から求めた水深値の変化量に基づいて水深値の正否を判定するので、押し込み操作部１０Ａを操作中に計測された水深値等の計測データが表示されたり、その計測データがメモリ９０にログデータやプロファイルデータとして記憶されるのを回避することができる。
さらに、上記判定において、取得した水深値が実際の水深値と異なると判定した場合に、直前の過去の水深値を用いて計測データの表示やメモリ９０への記憶を行うので、表示の更新を継続でき、かつ、ログデータやプロファイルデータの脱落が回避される。
このため、例えば、ダイビングの減圧停止のとき等の略一定の深さでダイビングをしている状況下で、押し込み操作部１０Ａを押し込み操作した場合、この押し込み操作前の水深値を用いた計測データが取得されるので、ほぼ正確な計測データの表示及び記憶を行うことが可能となる。
【００２７】
上述した実施形態は、あくまでも本発明の一態様を示すものであり、本発明の範囲内で任意に変形が可能である。例えば、上述の実施形態において、図８（Ａ）に示すように、センサカバー１０をユーザの押下力で弾性変形可能な厚さに形成し、図８（Ｂ）に示すように、センサカバー１０の略全体を弾性変形させて押し込み操作可能にしてもよい。要は、本発明は、センサカバー１０の一部又は全体を押し込み操作可能に構成すればよく、図１に示すような押し込み操作部１０Ａを設けるか否かは任意でよい。
また、上述の実施形態では、センサカバー１０を装置カバー７に一体的に形成する場合について例示したが、図９（Ａ）（Ｂ）に示すように、センサカバー１０を、装置カバー７と別体にしてもよい。この構成によれば、装置カバー７を金属製にすることができ、また、センサカバー１０だけの交換も可能となる。
【００２８】
また、上述の実施形態では、圧力センサ６の出力結果から求めた水深値の変化量に基づいて計測データの正否を判定する場合を例示したが、圧力センサ６の出力結果（圧力値）そのものの変化量に基づいて計測データの正否を判定するようにしてもよく、要は、圧力センサの出力結果を示す情報のいずれかの変化量から計測データの正否を判定すればよい。
また、上述した実施形態では、電子機器の一態様としてダイブコンピュータを例示したが、これに限らない。例えば、腕時計やＰＤＡ（Personal Digital Assistants）等の携帯型電子機器、及び、圧力計測器等の圧力測定機能を備えた電子機器に広く適用することが可能である。
【図面の簡単な説明】
【００２９】
【図１】本実施形態に係る電子機器の一態様としてのダイブコンピュータを示す図である。
【図２】ダイブコンピュータの電気的構成を示すブロック図である。
【図３】ダイブコンピュータの表示例を示す図である。
【図４】装置本体と装置カバーを示す斜視図である。
【図５】装置本体と装置カバーを示す側面図である。
【図６】Ａは押し込み操作部を周辺構成と共に示す断面図であり、Ｂは押し込み操作部の操作時の断面図である。
【図７】ダイブコンピュータの動作を示すフローチャートである。
【図８】Ａは変形例に係る押し込み操作部を周辺構成と共に示す断面図であり、Ｂは押し込み操作部の操作時の断面図である。
【図９】Ａは変形例に係る押し込み操作部を周辺構成と共に示す断面図であり、Ｂは押し込み操作部の操作時の断面図である。
【符号の説明】
【００３０】
１…ダイブコンピュータ（電子機器）、２…装置本体（センサ内蔵体）、２Ａ…ケース、２Ｃ…圧力挿入孔、２Ｆ…突起、６…圧力センサ、７…装置カバー、７Ｅ…凹部、１０…センサカバー（薄肉部）、１５…表示装置、２０…計時部、３０…圧力計測部、４０…操作部、５０…制御部（正否判定手段）、６０…報音装置、７０…振動発生装置、８０…外部端子、９０…メモリ、α、α１…間隙
【図１】
2006258558.tif 000003
【図２】
2006258558.tif 000004
【図３】
2006258558.tif 000005
【図４】
2006258558.tif 000006
【図５】
2006258558.tif 000007
【図６】
2006258558.tif 000008
【図７】
2006258558.tif 000009
【図８】
2006258558.tif 000010
【図９】
2006258558.tif 000011